(57)【特許請求の範囲】
【請求項１】
天板に開口を設け、該開口の下方に、ＯＡ機器が収容可能なＯＡ機器収納部と、前記ＯＡ機器の配線を接続したまま収納を可能する配線接続部とを有する箱体を取り付けるとともに、前記ＯＡ機器収納部の上方の開口を覆う取り外し可能な第１の補助天板と、前記配線接続部の上方の開口を覆う取り外し可能な第２の補助天板とを備え、前記両補助天板間または前記第１の補助天板と前記天板との間に配線挿通部を形成したことを特徴とするテーブル。
【請求項２】
配線接続部を、その上面から第２の補助天板の下面までの間に、配線用接続具を縦に配置する空間を残すに充分な低いものとした請求項１記載のテーブル。
【請求項３】
箱体における０Ａ機器収納部の底面上に、該底面との間に配線類
の余長分を収容可能な空間を形成する中板を載置した請求項１または２記載のテーブル。
【発明の詳細な説明】
【０００１】
【発明の属する技術分野】
本発明は、テーブル、特に、ＯＡ機器収納機能、及び配線処理機能付きの会議テーブルに関する。
【０００２】
【従来の技術】
従来、会議等において、ノートパソコンやプロジェクター等の情報機器を使用する場合、それらを会議の度に他所から持って来て設置接続を行っていた。
【０００３】
【発明が解決しようとする課題】
会議のためにこれらの情報機器を運び、設置し、接続する手間は相当なものである。また、これを避けるために、情報機器を会議テーブル上に設置したままとすると、それらの情報機器を使用しない場合に、机上面が有効に使えない等の問題がある。
さらに、情報機器類を接続するコンセントは通常天板上に設けられるので、これに接続するプラグが天板上に立ち上がって邪魔になり、ことに、プロジェクターの投影視野内に入り邪魔になるという問題も発生している。
【０００４】
本発明は、上述の問題点に鑑み、情報機器を不使用時には天板下に収容でき、しかも、天板上に配置した情報機器の配線の接続部が天板上に立ち上がらないようにしたテーブルを提供することを目的としている。
【０００５】
【課題を解決するための手段】
本発明によると、上記課題は、次のようにして解決される。
(１) 天板に開口を設け、該開口の下方に、ＯＡ機器が収容可能なＯＡ機器収納部と、前記ＯＡ機器の配線を接続したまま収納を可能する配線接続部とを有する箱体を取り付けるとともに、前記ＯＡ機器収納部の上方の開口部を覆う取り外し可能な第１の補助天板と、前記配線接続部の上方の開口部を覆う取り外し可能な第２の補助天板とを備え、前記両補助天板間または前記第１の補助天板と前記天板との間に配線挿通部を形成する。
【０００６】
(２) 上記(１)項において、配線接続部を、その上面から第２の補助天板の下面までの間に、配線用接続具を縦に配置する空間を残すに充分な低いものとする。
【０００７】
(３) 上記(１)または(２)項において、箱体における０Ａ機器収納部の底面上に、該底面との間に配線類の余長分を収容可能な空間を形成する中板を載置する。
【０００８】
【発明の実施の形態】
図１〜図３は、本発明のテーブルの一実施形態である会議用テーブル(Ａ)の分解斜視図、正面図及び側面図であり、図４は、その一部分の拡大縦断面図である。
図１に示すように、会議用テーブル(Ａ)の天板(１)の中央部には、大きな矩形状の開口(２)が穿設されている。開口(２)の下方には、上部開放の箱体(３)が配設されている。この箱体(３)は、その上端を開口(２)の下縁部すなわち天板(１)の下面に取り付けられている。
【０００９】
この実施形態においては、箱体(３)の内部は、左右に比較的大きな空間をなすＯＡ機器収納部(4a)(4b)が形成されており、中央に配線接続部(５)が形成されている。
【００１０】
配線接続部(５)は、箱体(３)の底面(６)（図２及び図４）上に固定され、箱体(３)の高さの半分程度の高さの箱体(７)からなり、その上面(7a)には、電源用コンセントや通信用モジュラーコンセント等の配線用接続具(８)が取り付けられている。
上面(7a)は、このような高さであるので、ここに取り付けた配線用接続具(８)に情報機器のコードまたはケーブル(９)のプラグ(10)を差し込んでも、このプラグ(９)の硬質部分が天板(１)の上方に突出することはなく、天板(１)の下に納まる。
【００１１】
ＯＡ機器収納部(4a)(4b)には、底板(６)の上に、断面下向きコ字状の中板(11)が配置されている。この中板(11)と底板(６)との間に、図４に示すように、ＯＡタップ(12)及びこれへの配線(13a)、さらにはＯＡタップ(12)から配線用接続具(８)への配線(13b)の余長分等を収納する空間が形成される。
【００１２】
中板(11)の上には、不使用状態のＯＡ機器(14)を収容することができる。この収納状態を図４に示してある。
【００１３】
図１に示す第１の補助天板(15)は、ＯＡ機器収納部(4a)(4b)の上方を覆うように天板(１)の開口(２)に着脱可能に取り付けられる。
また、第２の補助天板(16)は、配線接続部(５)の上方を覆うように天板(１)の開口(２)に着脱可能に取り付けられる。第２の補助天板(16)の左右両側部にはブラシ状の植毛部とした配線挿通部(17)が形成されており、ここを通してＯＡ機器(14)の配線(９)が天板(１)上に引き出される。
【００１４】
図２及び図３には、このようなＯＡ機器の一例としてプロジェクター(18)と、そのスクリーン(19)を天板(１)に配置し、さらに図３には、ノートパソコン(20)をも配置した状況を示してある。
図２において想像線により示すように、配線用接続具(８)が天板(１)の上面にあると、プロジェクター(18)のプラグ(10)及びそのコード(９)が、投射光線の視野内にせり上がり、映像の邪魔となるが、本発明によれば、硬質のプラグ(10)は箱体(２)内に収容されるので、プラグ(10)及びコード(９)が映像の邪魔となることがない。
【００１５】
また、プロジェクター(18)を箱体(２)内に収納する場合、コード(９)の先端のプラグ(10)を配線用接続具(８)に取り付けた状態でも、プラグ(10)は天板(１)の下方に納まるので、そのまま収容することができる。
【００１６】
なお、上述の実施形態では、配線挿通部(17)を第２の補助天板(16)の側部に形成したが、これを、第２の補助天板(16)に向かい合う第１の補助天板(15)の側部、または天板(１)の開口(２)と、これに向かい合う第１の補助天板(15)の側部との間に形成してもよい。
【００１７】
【発明の効果】
請求項１記載の発明によれば、ＯＡ機器は、不使用時には天板の開口の下方に収容することができ、別の収納場所への運搬を必要としない。また、この際配線を接続したままで収納することができる。これにより、情報機器を用いた会議が迅速に行えるようになる。さらに、ＯＡ機器収納時には補助天板の取り付けにより、広い机上面を確保することができる。
【００１８】
請求項２記載の発明によれば、情報機器の配線のプラグを、天板の上方から差し込んで取り付けたままの状態で、この情報機器を収納することができる。
【００１９】
請求項３記載の発明によれば、限られたスペース内で情報機器と配線類の余長分とが混在することなく、整然と収容することができる。
【図面の簡単な説明】
【図１】本発明のテーブルの一実施形態である会議用テーブルの分解斜視図である。
【図２】同じく、その正面図で、天板上にプロジェクター及び液晶スクリーンを配設した状態を示す図である。
【図３】同じく、その側面図で、着座者及びパソコンをも併せて示す図である。
【図４】同じく、天板の開口部の下方にプロジェクターを収容した状態を示す部分拡大縦断面図である。
【符号の説明】
(Ａ)会議用テーブル
(１)天板
(２)開口
(３)箱体
(4a)(4b)ＯＡ機器収納部
(５)配線接続部
(６)底板
(７)箱体
(８)配線用接続具
(９)コードまたはケーブル
(10)プラグ
(11)中板
(12)ＯＡタップ
(13a)(13b)配線
(14)ＯＡ機器
(15)第１の補助天板
(16)第２の補助天板
(17)配線挿通部
(18)プロジェクター
(19)スクリーン
(20)ノートパソコン
【図１】
0004504582.tif 000002
【図２】
0004504582.tif 000003
【図３】
0004504582.tif 000004
【図４】
0004504582.tif 000005